(57)【要約】      （修正有）【課題】ばね製造装置のバイト掛け配置構造を提供する。【解決手段】スタンド１と、３つのバイト掛け２とを備える。スタンドに３組の移動装置１１、１２を設けていて、それぞれの移動装置に第１レール組１１１、１２１と、第１レール組に垂直する第２レール組１１２、１２２とを設けられ、３組の移動装置のうち２組の移動装置を対向に設け、もう一組の移動装置を２組の対向設置する移動装置の側面に設け、バイト掛けにスタンド部２１を有し、スタンド部の一側に第１バイト掛け部２２を設け、スタンド部は第１バイト掛け部の両側にそれぞれ斜め向きの第２バイト掛け部２３を設け、かつ、３つのバイト掛けをそれぞれ前述移動装置の第２レール組に繋ぐことによって、２つの隣接するバイト掛けをより近づけさせて行程を小さくできると共に、それぞれのバイト掛けにより多くのバイトを掛けることができる。【選択図】図１
0003206701.tif 000002
【実用新案登録請求の範囲】
【請求項１】
ばね製造装置のバイト掛け配置構造であって、
３組の移動装置を外設していて、前記それぞれの移動装置は、第１レール組と、前記第１レール組に繋いでいて、かつ前記第１レール組と垂直する第２レール組とを含む、前記３組の移動装置は、そのうち２組の移動装置を対向させて設け、もう一組の移動装置を２組の対向設置する移動装置の側面に設けるスタンドと、
前記バイト掛けは、スタンド部と、前記スタンド部の一側に設ける第１バイト掛け部とを含み、前記スタンド部は前記第１バイト掛け部の両側にそれぞれ斜め向きの第２バイト掛けを設け、前記バイト掛けをそれぞれ前記移動装置の前記第２レール組に繋いでいて、かつ、前記バイト掛けの前記第１バイト掛け部が対向状を形成し、前記２つの隣接するバイト掛けをより近づけさせて行程を小さくする３つのバイト掛けと、を備えることを特徴とする、ばね製造装置のバイト掛け配置構造。
【請求項２】
前記２つの隣接するバイト掛けの前記第２バイト掛け部が平行状を形成されていることを特徴とする、請求項１記載のばね製造装置のバイト掛け配置構造。
【請求項３】
前記２つの隣接するバイト掛けの前記第１バイト掛け部に第１位置固定溝を形成され、前記第１位置固定溝に複数の第１位置固定孔を内設されていることを特徴とする、請求項１記載のばね製造装置のバイト掛け配置構造。
【請求項４】
前記バイト掛けの前記第２バイト掛け部に第２位置固定溝を形成され、前記第２位置固定溝に複数の第２位置固定孔を内設されていることを特徴とする、請求項１記載のばね製造装置のバイト掛け配置構造。
【考案の詳細な説明】
【技術分野】
【０００１】
本考案は、ばね製造装置のバイト掛け配置構に関し、特にばね製造装置に少なくとも３つのバイト掛けを有し、かつ、バイト掛けに斜め向きの第２バイト掛け部を設けることによって、２つの隣接するバイト掛けをより近づけさせ、行程を少なくできるバイト掛け配置構造に関する。
【背景技術】
【０００２】
現在のばね製造装置は、主に、ワークプレートに工具を取り付けていて、ワークプレートが工具を連動してばねを生産する仕組みとなっているが、ワークプレートが四角形となっているため、ワークプレートは一側面しかワイヤーガイドと正面に向かうことができず、ワークプレートに取り付けられる工具が限られ、バイトをしょっちゅうに交換が必要であり、さらに、四角形のワークプレートを複数に取り付けて使用した場合は、そのような形状から、互いに近寄せることができなく、ワークプレートの移動行程が遠くなり兼ねない。よって、現在は、ばね製造装置のほとんどが対向する２組のワークプレートのみを取り付けている。
【考案の概要】
【考案が解決しようとする課題】
【０００３】
本考案の主な目的は、スタンドに取り付ける３組の移動装置をそれぞれバイト掛けに繋ぎ、かつ、バイト掛けに第１バイト掛け部と、第１バイト掛け部の両側で斜め向きに設ける第２バイト掛け部とを有し、それぞれのバイト掛けにより多くのバイトを取り付けることができ、さらに、２つの隣接するバイト掛けをより近づけさせ行程を小さくできる。
【課題を解決するための手段】
【０００４】
前記目的を達成するために、本考案は、スタンドと、バイト掛けとを備える。スタンドに３組の移動装置を設けていて、それぞれの移動装置に第１レール組と、第１レール組に垂直する第２レール組とを設け、３組の移動装置のうち２組の移動装置を対向に設け、もう一組の移動装置を２組が対向設置する移動装置の側面に設け、バイト掛けにスタンド部を有し、スタンド部の一側に第１バイト掛け部を設け、スタンド部は第１バイト掛け部の両側にそれぞれ斜め向きの第２バイト掛けを設け、かつ、３つのバイト掛けの第１バイト掛け部が対向状を形成して、２つの隣接するバイト掛けをより近づけさせて行程を小さくできる。
【０００５】
前述ばね製造装置のバイト掛け配置構造において、係る２つの隣接するバイト掛けの第２バイト掛け部が平行状に形成されている。
【図面の簡単な説明】
【０００６】
【図１】本考案のばね製造機による立体外観図である。
【図２】本考案のばね製造機の内部による局所構造の立体図である。
【図３】本考案の正面図である。
【図４】本考案のバイト掛けの正面図である。
【図５】本考案にバイトを取り付けた後の正面図である。
【図６】本考案において、ばねの加工を示す正面図である。
【考案を実施するための形態】
【０００７】
以下、添付図面を参照して本考案の実施の形態を詳細に説明する。
【実施例】
【０００８】
図１と図２を参照する。本考案のばね製造機において、係る本体１０が本案に関わりのある部分は、ワイヤーガイド１０１と、回転装置１０２である。係る回転装置１０２は、サーボーモータ１０２１と、ワイヤーガイド１０１とを連動し回転させて、線材の角度を設定するベルト１０２２と含む。本考案より一種の斬新なばね製造装置のバイト掛け配置構造を提供する。本体１０自体は、本案の出願標的でないため、それに含む電力システムと、中央演算処理装置と、制御システムと、動力供給装置と、伝動装置などの素子は、ここでの説明を省略する。
【０００９】
図３と図４を参照する。本考案のばね製造装置のバイト掛け配置構造は、スタンド１と、３つのバイト掛け２とを含む。
【００１０】
係るスタンド１の外部に３組の移動装置（１１、１２）が設けられている。そのうち２組の移動装置１１を対向に設置していて、もう一組の移動装置１２を２つの対向する移動装置１１の側面に取り付け、それぞれの移動装置（１１、１２）は、第１レール組（１１１、１２１）と、第１レール組（１１１、１２１）につなぐ第２レール組（１１２、１２２）とを有し、第１レール組（１１１、１２１）は第１レール（１１１１、１２１１）と、第１レール（１１１１、１２１１）につなぐ移動基板（１１１２、１２１２）とを含む、かつ、第１レール（１１１１、１２１１）の側面に第１駆動装置（１１１３、１２１３）を設け、第１駆動装置（１１１３、１２１３）を移動基板（１１１２、１２１２）に繋いて、移動基板（１１１２、１２１２）を押し込に第１レール（１１１１、１２１１）に沿って往復に移動される。第２レール組（１１２、１２２）を移動基板（１１１２、１２１２）に取り付けていて、かつ、第１レール（１１１１、１２１１）と垂設する第２レール（１１２１、１２２１）を有し、さらに、第２レール組（１１２、１２２）は第２レール（１１２１、１２２１）の一側に第２駆動装置（１１２２、１２２２）を設ける。
【００１１】
係るバイト掛け２はスタンド部２１を有し、スタンド部２１の一側に第１バイト掛け部２２を設け、スタンド部２１は、第１バイト掛け部２２の両側にそれぞれ斜め向きの第２バイト掛け部２３を設けていて、かつ、それぞれの第２バイト掛け部２３と、第１バイト掛け部２２に１３５度の鋏角を形成し、第１バイト掛け部２２に第１位置決め溝２２１を設け、第１位置決め溝２２１に複数の第１位置決め孔２２２を内設し、第２バイト掛け部２３に第２位置決め溝２３１を開けられ、第２位置決め溝２３１に複数の第２位置決め孔２３２が内設されている。さらに、３つのバイト掛け２をそれぞれ前述移動装置（１１、１２）の第２レール（１１２１、１２２１）に取り付け、複数のバイト掛け２の第１バイト掛け部２２を対向状に形成して、それぞれ第２バイト掛け部２３と、第１バイト掛け部２２とを１３５度の鋏角を形成することによって、２つの隣接するバイト掛け２の第２バイト掛け部２３が平行状を形成する。引き続き、それぞれのバイト掛け２のスタンド部２１が第１バイト掛け部２２の遠端を第２駆動装置（１１２２、１２２２）に繋ぐことによって、第２駆動装置（１１２２、１２２２）がバイト掛け２を連動し第２レール（１１２１、１２２１）に沿って往復に移動し、複数のバイト掛け２の第１バイト掛け部２２を向かい合うより近づけるか離せるように移動することができる。
【００１２】
引き続き図３ないし図６を参照する。図５から分かるように、バイト掛け２の第２バイト掛け部２３が第１バイト掛け部２２に対して斜め向きの設計となっており、よって、バイト掛け２の限られたスペースで、第１バイト掛け部２２と、第２バイト掛け部２３により多くの加工具３の取り付けに提供できるほか、斜めの角度を形成して、加工具３の取り付けを提供しており、さらに、第１バイト掛け部２２の第１位置決め孔２２２によって、加工具３を取り付けるときに、第１固定方向を形成され、第１位置決め溝２２１を加工具３が第１方向と異なる第２方向の固定を形成する。引き続き、図６を参照する。前述加工具３によって、それぞれ誘導、位置固定、回転、裁断等様々な機能を提供され、バイト掛け２の連動によって移動される。一方、バイト掛け２は移動装置置（１１、１２）の連動によって移動される。よって、加工具３は設計されたプログラムによって、必要な規格のばね４を製造できる。本考案による３組の移動装置（１１、１２）が３つのバイト掛け２に繋いでいるため、そのうち一つのバイト掛け２が加工を完了した後に、バイト掛け２が同時に移動する仕組みを利用して、一つの加工具３を引き離せて、もう一つの加工具３をバイトの仕送りに使用することができる。このように、バイトの仕送りと引き下げ速度を加速化できるとともに、２つの隣接するバイト掛け２の第２バイト掛け部２３が平行状を形成することによって、２つの隣接するバイト掛け２をより近づけさせ行程を小さくできる。
【符号の説明】
【００１３】
１０                  機器本体
１０１                ワイヤーガイド
１０２                回転装置
１０２１              サーボーモータ
１０２２              ベルト
１                    スタンド
１１、１２            移動装置
１１１、１２１        第１レール組
１１１１、１２１１    第１レール
１１１２、１２１２    移動基板
１１１３、１２１３    第１駆動装置
１１２、１２２        第２レール組
１１２１、１２２１    第２レール
１１２２、１２２２    第２駆動装置
２                    バイト掛け
２１                  スタンド部
２２                  第１バイト掛け部
２２１                第１位置決め溝
２２２                第１位置決め孔
２３                  第２バイト掛け部
２３１                第２位置決め溝
２３２                第２位置決め孔
３                    加工具
【図１】
0003206701.tif 000003
【図２】
0003206701.tif 000004
【図３】
0003206701.tif 000005
【図４】
0003206701.tif 000006
【図５】
0003206701.tif 000007
【図６】
0003206701.tif 000008